(57)【要約】      （修正有）【課題】ジッパーの取付けにおける袋本体への加工が二枚の袋本体に対して同時に行えるようにし、しかも、雌雄のジッパーを噛合させた状態で二つの開き片に対して取付けることができ、製袋の能率向上による製袋コストの低減を図ることができるジッパー付き袋の製造方法を提供する。【解決手段】対向する一対の平面部２、３を有する扁平な筒状に形成された袋本体５の口部となる側の両側に、口部となる側の平面部２，３を二つの開き片にする切り欠き８を施し、上記二つの開き片を開いてその対向面間にジッパー６を供給した後、この開き片とジッパー６を溶着させ、重なり状とした両開き片の両側を切り欠き８の内側縁に沿って溶着し、この溶着した側部溶着部１１の外縁側を切断除去して仕上げる。【選択図】図２
2005199540.tif 000002
【特許請求の範囲】
【請求項１】
対向する一対の平面部を有する扁平な筒状に形成された袋本体の口部となる側の両側に、口部となる側の平面部を二つの開き片にする切り欠きを施す工程と、上記二つの開き片を開いてその対向面間にジッパーを供給した後、この開き片とジッパーを溶着させる工程と、重なり状とした両開き片の両側を切り欠きの内側縁に沿って溶着する工程と、この溶着した部分の外縁側を切断除去する仕上げ工程とを経ることを特徴とするジッパー付き袋の製造方法。
【請求項２】
上記両開き片の両側を切り欠きの内側縁に沿って溶着する工程と仕上げ工程の間で、両開き片の先端側を溶着することを特徴とする請求項１に記載のジッパー付き袋の製造方法。
【請求項３】
上記ジッパーは、雄ジッパーと雌ジッパーを噛合わせ状態にして二つの開き片間に供給し、一方開き片と雄ジッパーの溶着及び他方開き片と雌ジッパーの溶着を同時に行うことを特徴とする請求項１又は２に記載のジッパー付き袋の製造方法。
【請求項４】
上記袋本体を近接する並列状に配置し、口部となる側の平面部を二つの開き片にする切り欠きを施す工程と、溶着した部分の外側縁側を切断除去する仕上げ工程を、両側に隣接する袋本体に対して同時に行うことを特徴とする請求項１乃至３の何れかに記載のジッパー付き袋の製造方法。
【請求項５】
上記袋本体が、平袋とガゼット袋の何れかである請求項１乃至４の何れかに記載のジッパー付き袋の製造方法。
【発明の詳細な説明】
【技術分野】
【０００１】
この発明は、内容物の取出しのための口部がジッパーによって開閉できるようにした、平袋やガゼット袋のようなジッパー付き袋の製造方法に関する。
【背景技術】
【０００２】
各種商品の収納容器として用いられている袋には、平袋と両側に折り込み部分のあるガゼット袋がある。
【０００３】
前者の平袋には、二枚のシートを重ね合わせてその四周縁をヒートシールした袋と、一枚のシートをその両側が中央位置で重なるように筒状に折り曲げ、このシートの重ね合わせた両側の部分をヒートシールして袋本体とした中央合掌貼り袋とがあり、中央合掌貼り袋は、四周縁をヒートシールした袋よりも外観形状が優れているので多用されている。
【０００４】
後者のガゼット袋は、二枚のシートを重ね合わせてその両側対向面間に二つ折りとした折り込み部材を挟み込み、各シートの端部と折り込み部材の端部をヒートシールして袋本体とした構造になっている。
【０００５】
ところで、上記のような平袋やガゼット袋において、内容物の取出しのための口部が開封後もジッパーによって開閉できるようにしたものが従来から提案されている。
【０００６】
上記した平袋やガゼット袋に対してジッパーを設けるには、袋本体の製袋の工程中に袋の口部側にジッパーを組み込んで溶着する必要がある。
【０００７】
袋本体に対してジッパーを取付ける従来の具体的な方法としては、対向する一対の平面部を有する扁平な筒状に形成された袋本体の口部となる側の平面部を、端部から内方にむけて施した両側の切れ目によって二つの開き片にし、上記二つの開き片を相反する外側に折り曲げて開き、その対向面の一方に雄ジッパーを、他方に雌ジッパーをそれぞれの位置を合わせて溶着し、この後、雌雄のジッパーを噛み合わせて、二つの開き片を重ねた状態で、二つの開き片の両側を溶着させるようにしている（例えば、特許文献１参照）。
【特許文献１】特許第３２０９４４５号公報（図１乃至図５）
【発明の開示】
【発明が解決しようとする課題】
【０００８】
ところで、上記のようなジッパーの取付け方法は、袋本体に対する両側への切れ目の加工や二つの開き片の両側溶着を、一枚の袋本体ごとに単独でしかも両側部で別々に行う必要があるため、工数が増えることで製袋の能率が悪く、製袋コストを高騰させる原因になっている。
【０００９】
また、二つの開き片に対する雄ジッパーと雌ジッパーの取付けを別々に行う方法は、工程数が増えて煩雑となり、製袋の能率を低下させるという問題がある。
【００１０】
そこで、この発明の課題は、ジッパーの取付けにおける袋本体への加工が二枚の袋本体に対して同時に行えるようにし、しかも、雌雄のジッパーを噛合させた状態で二つの開き片に対して取付けることができ、製袋の能率向上による製袋コストの低減を図ることができるジッパー付き袋の製造方法を提供することにある。
【課題を解決するための手段】
【００１１】
上記のような課題を解決するため、請求項１の発明は、対向する一対の平面部を有する扁平な筒状に形成された袋本体の口部となる側の両側に、口部となる側の平面部を二つの開き片にする切り欠きを施す工程と、上記二つの開き片を開いてその対向面間にジッパーを供給した後、この開き片とジッパーを溶着させる工程と、重なり状とした両開き片の両側を切り欠きの内側縁に沿って溶着する工程と、この溶着した部分の外縁側を切断除去する仕上げ工程とを経る構成を採用したものである。
【００１２】
請求項２の発明は、請求項１の発明において、上記両開き片の両側を切り欠きの内側縁に沿って溶着する工程と仕上げ工程の間で、両開き片の先端側を溶着する構成を採用したものである。
【００１３】
請求項３の発明は、請求項１又は２の発明において、上記ジッパーは、雄ジッパーと雌ジッパーを噛合わせ状態にして二つの開き片間に供給し、一方開き片と雄ジッパーの溶着及び他方開き片と雌ジッパーの溶着を同時に行う構成を採用したものである。
【００１４】
請求項４の発明は、請求項１乃至３の何れかの発明において、上記袋本体を近接する並列状に配置し、口部となる側の平面部を二つの開き片にする切り欠きを施す工程と、溶着した部分の外側縁側を切断除去する仕上げ工程を、両側に隣接する袋本体に対して同時に行う構成を採用したものである。
【００１５】
請求項５の発明は、請求項１乃至４の何れかの発明において、上記袋本体が、平袋とガゼット袋の何れか一方である構成を採用したものである。
【００１６】
ここで、袋本体は、ヒートシールが可能な合成樹脂のシートを用い、平袋は、一枚のシートをその両側が中央位置で重なるように筒状に折り曲げ、このシートの重ね合わせた両側の部分をヒートシールして袋本体とした中央合掌貼り袋であり、また、ガゼット袋は、二枚のシートを重ね合わせてその両側対向面間に二つ折りとした折り込み部材を挟み込み、各シートの端部と折り込み部材の端部をヒートシールして袋本体とした構造になっている。
【００１７】
また、上記ジッパーにおける雄ジッパーと雌ジッパーの重なり面及び、ガゼット袋の場合の折り込み部材における重なり面には、予め非溶着処理が施されている。
【発明の効果】
【００１８】
この発明によると、袋本体の口部となる側の両側に、口部となる側の平面部を二つの開き片にする切り欠きを施し、上記二つの開き片を開いてその対向面間にジッパーを供給した後、この開き片とジッパーを溶着させ、重なり状とした両開き片の両側を切り欠きの内側縁に沿って溶着し、この溶着した部分の外側縁側を切断除去するようにしたので、ジッパーの取付けにおける袋本体への切り欠きや溶着、切断除去の加工が二枚の袋本体に対して同時に行えるようになり、前記のような加工を一枚の袋本体に対して両側別々に行う場合に比べて工程を半減でき、これによって、ジッパー付き袋の製袋コストを低減することができる。
【００１９】
また、雌雄のジッパーを噛合させた状態で二つの開き片に対して取付けることができ、工程数の削減により、製袋の能率を向上させることができる。
【発明を実施するための最良の形態】
【００２０】
対向する一対の平面部を有する扁平な筒状に形成された袋本体の口部となる側の両側に、口部となる側の平面部を二つの開き片にする切り欠きを施し、上記二つの開き片を開いてその対向面間にジッパーを供給した後、この開き片とジッパーを溶着させ、重なり状とした両開き片の両側を切り欠きの内側縁に沿って溶着し、この溶着した部分の外側縁側を切断除去して仕上げる。
【実施例１】
【００２１】
図１乃至図７は、ジッパー付き袋が平袋である第１の実施例の製造方法を示し、平袋１は、ヒートシールが可能な合成樹脂のシートを用い、この一枚のシートをその両側が中央位置で重なるようにして、対向する一対の平面部２と３を有する扁平な筒状に折り曲げ、このシートの重ね合わせた両側の部分をヒートシールして背シール４とすることにより袋本体５とし、この袋本体５の一端が口部で他端が底部となり、内容物の取出しのための口部が開封後もジッパー６によって開閉でき、底部を内容物の充填後にヒートシールするようにした中央合掌貼り袋になっている。
【００２２】
上記のような袋本体５の口部に対してジッパー６を取付けるには、図１のように、袋本体５を一定間隔で近接する並列状に配置し、多数の袋本体５を並列方向に移送する搬送ライン７を設置し、この搬送ライン７の途中に、袋本体５の口部となる側の平面部２と３を二つの開き片２ａと３ａにする切り欠き８を施す第1の刃物９と、二つの開き片間の対向面間にジッパー６を供給した後、この開き片２ａ、３ａとジッパー６を溶着させるジッパー溶着機構１０と、重なり状とした両開き片２と３の両側を切り欠き８の内側縁に沿って溶着し、側部溶着部１１を形成する側部溶着機構１２と、両開き片２ａと３ａの先端部を溶着して端部溶着部１３を形成する端部溶着機構１４と、両開き片２ａと３ａの側部溶着部１１の外側縁側を切断除去して仕上げる第２の刃物１５とを所定の間隔で配置した製造装置が用いられる。
【００２３】
図示の場合、この製造装置は、袋本体を直線状に移送して加工する例を示したが、各加工機構を円形に配置し、袋本体を円形に移送して加工するようにしてもよい。
【００２４】
上記の第１の刃物９と第２の刃物１５による切断及び、側部溶着部１１を形成する側部溶着機構１２は、両側に隣接する二枚の袋本体５に対して同時に行うようになっている。この切断及び溶着は、両側二枚の袋本体５に対して、隣接するそれぞれの片側に切り欠き８及び側部溶着部１１を同時に施すことにより、サイクル的には、一枚の袋本体５の両側に切り欠き８と側部溶着部１１を同時に施すのと同じことになる。
【００２５】
上記袋本体５の口部に対してジッパー６を取付けるには、図１と図２（Ａ）のように、搬送ライン７で袋本体５を一定間隔で近接する並列状にして、多数の袋本体５を並列方向に間歇的に移送し、図１と２（Ｂ）及び図４のように、第１の刃物９で、袋本体５の口部となる側の両側に、口部となる側の平面部２と３を二つの開き片２ａと３ａにするための切り欠き８を、先端から内方に向かい端部が外方へ弧状に屈曲するＪ字形状に施す。
【００２６】
この切り欠き８は、例えば、袋本体５を隣接する側縁の間隔が１８ｍｍになるよう並べ、幅が２０ｍｍ程度の長いＵ字状に形成された第１の刃物９を用い、隣接する袋本体５の側縁に対して同時に行うものであり、袋本体５が並列ピッチに等しい間隔で間歇移送され、第１の刃物９と対応する位置で停止するごとに、第１の刃物９が隣接する二枚の袋本体５の側縁に対して同時に幅が１ｍｍとなる切り欠き８を施し、第１の刃物９の部分を通過した各袋本体５は、図４の如く、口部となる端部の両側にＪ字形状となる切り欠き８が施され、袋本体５の口部となる側の平面部２と３は、遊離可能な二つの開き片２ａと３ａになる。
【００２７】
第１の刃物９の部分を通過した二枚の袋本体５は、ジッパー６の溶着機構１０に移動し、この溶着機構１０では、二枚の袋本体５のそれぞれ二つの開き片２ａと３ａを吸引手段を用いて上下に開き、この上下開き片２ａと３ａ間にジッパー６を供給すると共に、上下開き片２ａ、３ａとジッパー６の溶着を行う。
【００２８】
上記ジッパー６は、図５のように、熱可塑性の合成樹脂を用いた雄ジッパー６ａと雌ジッパー６ｂの組み合わせからなり、雄ジッパー６ａと雌ジッパー６ｂを噛合わせ状態にして二つの開き片２ａと３ａ間に、袋本体５の幅方向となる移送方向から供給し、この後、上下開き片２ａと３ａを重なり状にして吸引を解き、吸引手段の離反後に加熱加圧手段を開き片２ａと３ａの上下に位置させ、この加熱加圧手段によって一方開き片２ａと雄ジッパー６ａの溶着及び他方開き片３ａと雌ジッパー６ｂの溶着を同時に行う。
【００２９】
この溶着は、図６のように、ジッパー６における雄ジッパー６ａと雌ジッパー６ｂのジッパーテープの両側位置をその長さ方向に沿って開き片２ａと３ａと溶着することになる。
【００３０】
上記二つの開き片２ａと３ａ間へのジッパー６の供給は、開き片２ａと３ａの端部から少し内側に入った位置になるよう設定し、雄ジッパー６ａと雌ジッパー６ｂのジッパーテープにおける重なり面には、予め非溶着処理を施しておくことにより、重なり状とした各開き片２ａ、３ａと雄ジッパー６ａ及び雌ジッパー６ｂの溶着を同時に行うことができる。
【００３１】
上記上下開き片２ａと３ａ間へのジッパー６の供給と溶着工程は、両側二枚の袋本体５に対して同時に行っても、また、両側二枚の袋本体５に対してジッパー６の溶着を別個に行うようにしてもよい。
【００３２】
両側二枚の袋本体５は、移送によって次の位置にある側部溶着機構１２に移動し、この溶着機構１２では、上下の加熱加圧手段により、重なり状とした両開き片２ａと３ａの片側の位置を切り欠き８の内側縁に沿って所定の幅で溶着し、図２（Ｄ）と図６のように、側部溶着部１１を形成する。
【００３３】
上記側部溶着部１１においては、この側部溶着部１１となる両開き片２ａと３ａ間に位置するジッパー６を、加熱加圧によって扁平になるよう押し潰すことになる。
【００３４】
この側部溶着部１１は、両側二枚の袋本体５に対して、隣接するそれぞれの片側において、切り欠き８の内側縁に沿う溶着を同時に施すことにより、サイクル的には、一枚の袋本体５の両側に側部溶着部１１を同時に施すのと同じことになる。
【００３５】
また、この側部溶着部１１を形成された袋本体５は、次の位置に設けた端部溶着機構１４の上下の加熱加圧手段により、重なり状とした両開き片２ａと３ａの端部を幅方向の全長にわたって所定の幅で直線状に溶着し、端部溶着部１３が形成される。
【００３６】
なお、端部溶着部１３は側部溶着部１１よりも先の工程においてに溶着するようにしてもよく、この端部溶着部１３とジッパー６の間には、図６と図７のように、袋本体５の開封時に切断してジッパー６を開閉するための非溶着部１６が形成されることになる。
【００３７】
両側二枚の袋本体５は、移送によって次の位置にある第２の刃物１５の位置に移動し、この第２の刃物１５によって側部溶着部１１の外側縁側をＪ字形状に切断除去することによって、袋本体５の口部側の両側を仕上げる。
【００３８】
上記第２の刃物１５は、例えば、幅が２２ｍｍ程度の長いＵ字状に形成され、隣接する袋本体５の側部溶着部１１に対して同時に切断を行うものであり、このように、側部溶着部１１の溶着バリ１７を切断除去すると、同時にジッパー６の両側袋本体５間に位置して側部溶着部１１から突出する部分も袋本体５から切断され、これによって、図２（Ｅ）と図７に示すように、ジッパー付きの平袋１が完成する。
【実施例２】
【００３９】
図８乃至図１１の第２の実施例は、ジッパー付き袋がガゼット袋である製造方法を示し、ガゼット袋２１は、図８のように、ヒートシールが可能な合成樹脂のシートを用い、二枚のシートを重ね合わせてその両側対向面間に、該シートと同材料を用いて二つ折りとした折り込み部材２２を挟み込み、二枚のシートと折り込み部材２２の重なり状態を加熱加圧手段で挟み込み、各シートの両側の端縁部と折り込み部材２２の端縁部を同時にヒートシールし、溶着部２３として袋本体２４とした構造になっている。
【００４０】
なお、折り込み部材２２における重なり面には、予め非溶着処理が施され、前記ヒートシール時に折り込み部材２２の重なり面が溶着することのないようになっている。
【００４１】
上記のような袋本体２４の口部に対してジッパー６を取付けるには、上述した第１の実施例と同様の製造装置を用いて略同様の工程で取付けるので、ここでは、第１の実施例と同一部分には、第１の実施例と同じ符号を用いると共に、重複を避けるため、その相違する部分について重点的に説明する。
【００４２】
上記袋本体２４の口部に対してジッパー６を取付けるには、搬送ラインで袋本体２４を一定間隔で近接する並列状にして、多数の袋本体２４を並列方向に間歇的に移送し、図１で示した第１の刃物９で、袋本体２４の口部となる側の片側に、口部となる側の平面部２５と２６を二つの開き片２５ａと２６ａにするための切り欠き８を、先端から内方に向かい端部が外方へ弧状に屈曲するＪ字形状に施す。
【００４３】
この切り欠き８は、隣接する袋本体２４の側縁に対して同時に行うものであり、袋本体２４が並列ピッチに等しい間隔で間歇移送され、第１の刃物９と対応する位置で停止するごとに、第１の刃物９が隣接する袋本体２４の側縁に対して同時に切り欠き８を施し、第１の刃物９の部分を通過した各袋本体２４は、口部となる側の両側にＪ字形状となる切り欠き８が施され、図９のように、袋本体２４の口部となる側の平面部２５と２６は、遊離可能な二つの開き片２５ａと２６ａになり、その間に折り込み部材２２が遊離状に介在することになる。
【００４４】
第１の刃物９の部分を通過した二枚の袋本体２４は、図１で示したジッパー６の溶着機構１０に移動し、この溶着機構１０では、二枚の袋本体２４のそれぞれ二つの開き片２５ａと２６ａを吸引手段を用いて上下に開き、図９のように、この上下開き片２５ａと２６ａ間において、一方開き片２５ａと折り込み部材２２の間を通過するようにジッパー６を供給すると共に、上下開き片２５ａと２６ａとジッパー６の溶着を行う。
【００４５】
上記ジッパー６は、雄ジッパー６ａと雌ジッパー６ｂを噛合わせ状態にして二つの開き片２５ａと２６ａ間に、袋本体２４の幅方向となる移送方向から供給し、この後、上下開き片２５ａと２６ａを重なり状にして吸引を解き、吸引手段の離反後に加熱加圧手段を開き片２５ａと２６ａの上下に位置させ、この加熱加圧手段によって一方開き片２５ａと雄ジッパー６ａの溶着及び他方開き片２６ａと雌ジッパー６ｂの溶着及び、噛合わせ状態のジッパー６と一方開き片２５ａ及び折り込み部材２２の重なり部分の溶着を同時に行う。
【００４６】
両側二枚の袋本体２４は、移送によって次の位置にある図１の側部溶着機構１２に移動し、この溶着機構１２では、上下の加熱加圧手段により、重なり状とした両開き片２５ａと２６ａの片側において、両開き片２５ａと２６ａと折り込み部材２２の重なり部分を切り欠き８の内側縁に沿って所定の幅で溶着し、図１０のように側部溶着部１１を形成する。
【００４７】
上記側部溶着部１１においては、開き片２５ａと折り込み部材２２間に位置するジッパー６を加熱加圧によって扁平になるよう押し潰すようにすると共に、この時、折り込み部材２２の重なり部分は非溶着処理によって溶着することがない。
【００４８】
この側部溶着部１１は、両側二枚の袋本体２４に対して、隣接するそれぞれの片側に切り欠き８の内側縁に沿う溶着を同時に施すことにより、サイクル的には、一枚の袋本体２４の両側に側部溶着部１１を同時に施すのと同じことになる。
【００４９】
また、この側部溶着部１１の形成後に、次の位置に設けた端部溶着機構１４の上下の加熱加圧手段により、重なり状とした両開き片２５ａと２６ａの口部側端部を幅方向の全長にわたって所定の幅で直線状に溶着し、端部溶着部１３を形成する。
【００５０】
なお、端部溶着部１３は側部溶着部１１よりも先の工程においてに溶着するようにしてもよく、この端部溶着部１３とジッパー６の間には、袋本体２４の開封時に切断してジッパー６を開閉するための非溶着部１６が形成されることになる。
【００５１】
両側二枚の袋本体２４は、移送によって次の位置にある図１の第２の刃物１５の位置に移動し、図１１のように、隣接する袋本体２４の側縁溶着部１１に対し、この第２の刃物１５によって側部溶着部１１の外縁側をＪ字形状に切断除去することにより、袋本体２４の口部側の両側を仕上げれば、側縁溶着部１１の溶着バリ１７を切断除去すると同時に、ジッパー６の両側袋本体２４間に位置して側縁溶着部１１から突出する部分も袋本体２４から切断され、これによってジッパー付きのガゼット袋２１が完成する。
【図面の簡単な説明】
【００５２】
【図１】ジッパー付き袋が平袋である第１の実施例の製造方法を示す製造工程の平面図
【図２】各製造工程における袋本体の変化を示し、（Ａ）は袋本体の加工前の平面図、（Ｂ）は両側に切り欠きを施した平面図、（Ｃ）はジッパーを挿入した平面図、（Ｄ）は溶着を施した平面図、（Ｅ）は完成した平面図
【図３】平袋である中央合掌貼り袋の袋本体を示す斜視図
【図４】上記袋本体の口部両側に切り欠きを施した斜視図
【図５】上記袋本体の両開き片間にジッパーを挿入した斜視図
【図６】上記袋本体の両開き片に溶着を施した斜視図
【図７】上記袋本体の両開き片の溶着バリを切断除去した分解斜視図
【図８】平袋であるガゼット袋の袋本体を示す斜視図
【図９】上記袋本体の両開き片間にジッパーを挿入した斜視図
【図１０】上記袋本体の両開き片に溶着を施した斜視図
【図１１】上記袋本体の両開き片の溶着バリを切断除去した分解斜視図
【符号の説明】
【００５３】
１        平袋
２        平面部
２ａ      開き片
３        平面部
３ａ      開き片
４        背シール
５        袋本体
６        ジッパー
７        搬送ライン
８        切り欠き
９        第1の刃物
１０      ジッパー溶着機構
１１      側部溶着部
１２      側部溶着機構
１３      端部溶着部
１４      端部溶着機構
１５      第２の刃物
１６      非溶着部
１７      溶着バリ
２１      ガゼット袋
２２      折り込み部材
２３      溶着部
２４      袋本体
２５      平面部
２５ａ    開き片
２６      平面部
２６ａ    開き片
【図１】
2005199540.tif 000003
【図２】
2005199540.tif 000004
【図３】
2005199540.tif 000005
【図４】
2005199540.tif 000006
【図５】
2005199540.tif 000007
【図６】
2005199540.tif 000008
【図７】
2005199540.tif 000009
【図８】
2005199540.tif 000010
【図９】
2005199540.tif 000011
【図１０】
2005199540.tif 000012
【図１１】
2005199540.tif 000013